(57)【特許請求の範囲】
【請求項１】
弁本体の一次側に制御弁を介して給水配管が接続されると共に二次側に散水部を接続した給水配管が接続され、前記散水部の散水により前記給水配管内の流水を検知して作動信号を受信機側に出力する流水検知装置に於いて、
前記弁本体の一次側に制御弁を一体に取付け、
前記弁本体内の流水を検出して作動信号を出力する作動検出センサと、
前記制御弁の開閉を検出して開閉信号を出力する開閉検出センサと、
外部信号線が接続され、前記作動信号及び開閉検出信号の状態を外部に出力するスイッチボックスとを備え、
該スイッチボックスに、前記作動検出センサ及び前記開閉検出センサのオン、オフ状態を前記外部信号線を介して前記受信機側に出力する端子台と、前記受信機側から見て前記作動検出センサ及び前記開閉検出センサを直列かまたは並列に接続するかを切り替える第１のスイッチと、
を設けたことを特徴とする流水検知装置。
【請求項２】
請求項１記載の流水検知装置に於いて、前記第１のスイッチにより前記作動検出センサと前記開閉検出センサを直列に接続したとき、前記開閉検出センサに対して第１の内部終端抵抗を直列に接続したことを特徴とする流水検知装置。
【請求項３】
請求項１記載の流水検知装置に於いて、前記第１のスイッチにより前記作動検出センサと前記開閉検出センサを直列に接続したとき、前記開閉検出センサに対して第１の外部終端抵抗を直列に接続したことを特徴とする流水検知装置。
【請求項４】
請求項１記載の流水検知装置に於いて、前記第２のスイッチにより前記作動検出センサと前記開閉検出センサを並列に接続したとき、前記開閉検出センサに対して第２の外部終端抵抗を直列に接続したことを特徴とする流水検知装置。
【請求項５】
請求項１記載の流水検知装置に於いて、前記第１のスイッチにより前記作動検出センサと前記開閉検出センサを並列に接続したとき、前記開閉検出センサに対して第２の外部終端抵抗を直列に接続したことを特徴とする流水検知装置。
【請求項６】
請求項２又は３記載の流水検知装置に於いて、前記第１のスイッチにより前記作動検出センサと前記開閉検出センサを直列に接続したとき、前記第１の内部終端抵抗または前記第１の外部終端抵抗を選択する第２のスイッチを設けたことを特徴とする流水検知装置。
【請求項７】
請求項４又は５記載の流水検知装置に於いて、前記第１のスイッチにより前記作動検出センサと前記開閉検出センサを並列に接続したとき、前記第２の内部終端抵抗または前記第２の外部終端抵抗を選択する第３のスイッチを設けたことを特徴とする流水検知装置。
【請求項８】
弁本体の一次側に制御弁を介して給水配管が接続されると共に二次側に散水部を接続した給水配管が接続され、前記散水部の散水により前記給水配管内の流水を検知して作動信号を受信機側に出力する流水検知装置に於いて、
前記弁本体の一次側に制御弁を一体に取付け、
前記弁本体内の流水を検出して作動信号を出力する作動検出センサと、
前記制御弁の開閉を検出して開閉信号を出力する開閉検出センサと、
火災感知器が火災信号を前記受信機側へ送出するための信号線に接続され、前記作動信号及び開閉検出信号を前記受信機側へ出力するスイッチボックスとを備え、
該スイッチボックスに、前記作動検出センサ及び前記開閉検出センサのオン、オフ状態を前記火災信号送出用の信号線を介して受信機側に出力する端子台及び前記火災感知器用の信号線の終端に接続される終端抵抗と、
を設けたことを特徴とする流水検知装置。
【請求項９】
請求項８記載の流水検知装置に於いて、スイッチボックスの前記端子台に前記終端抵抗が接続されることを特徴とする流水検知装置。
【請求項１０】
請求項８記載の流水検知装置に於いて、前記作動検出センサによる作動信号は前記火災感知器用の信号線を短絡することで受信機側に送出し、また前記開閉検出センサによる開閉信号は制御弁が閉じたときに前記火災感知器用の信号線を断線することで受信機側に送出することを特徴とする流水検知装置。
【発明の詳細な説明】
【０００１】
【発明の属する技術分野】
本発明は、スプリンクラーヘッドの作動による給水配管内の流水を検知して作動信号を出力し、また制御弁の開閉信号を出力する流水検知装置に関する。
【０００２】
【従来の技術】
従来の流水検知装置としては、例えば図１８および図１９に示すようなものが知られている。図１８は流水検知装置の正面図、図１９は流水検知装置の側面図である。
図１８および図１９において、１０１は流水検知装置１１１の弁本体であり、弁本体１０１の二次側の接続口１０１Ａにはスプリンクラーヘッドが接続された給水配管１０２Ａが接続される。弁本体１０１の一次側および二次側には圧力計１０３，１０４がそれぞれ接続され、二次側の排水口１０１Ｂには排水および流水検知装置１１１の試験を行う親子弁１０５が接続されている。
【０００３】
親子弁１０５には排水管１０６が接続され、ハンドル１０５Ａの操作により親子弁１０５が開弁して排水管１０６に消火用水が排水される。また、弁本体１０１の一次側の接続口１０１Ｃには制御弁１０７を介して消火ポンプに接続されている給水配管１０２Ｂが接続される。制御弁１０７はハンドル１０７Ａを有し、ハンドル１０７Ａの操作で開閉される。
【０００４】
また、弁本体１０１の二次側には警報配管１０８が接続され、警報配管１０８には信号停止弁１０９を介して圧力スイッチ１１０が接続されている。また、警報配管１０８は排水管１０６に接続されている。
制御弁１０７が接続されている給水配管１０２Ｂ側の一次側圧力とスプリンクラーヘッド側の二次側圧力が等しい状態にあっては、管内流水は生じないので、弁本体１０１の弁ディスクは弁シートに閉じた状態にある。このため、圧力スイッチ１１０には加圧水が供給されず、スイッチオフの状態にあり、作動信号は出力されない。
【０００５】
スプリンクラーヘッドが火災により作動した場合、あるいは点検のため末端試験装置の試験弁もしくは親子弁１０５を開いた場合には、二次側圧力の低下に伴って管内流水が生じ、弁本体１０１の弁ディスクが開く。このため警報配管１０８を介して圧力スイッチ１１０に加圧水が供給されることで、圧力スイッチ１１０がオン状態となり、流水検知装置１１１の作動を示す作動信号の出力を生じる。
【０００６】
その後、作動信号の出力を停止する復旧作業は、弁本体１０１の一次側に接続されている制御弁１０７を手動で閉弁することで行われ、これにより弁本体１０１への流水が止まり、弁ディスクが平常状態に戻り、弁シートを閉じる。また圧力スイッチ１１０内の加圧水を排水管１０６に排水することで、圧力スイッチ１１０は復旧する。
【０００７】
圧力スイッチ１１０からは流水検知装置１１１の作動を示す作動信号を出力するための図示しない作動信号線が引き出され、作動信号線は図示しない端子台に接続される。端子台は受信機側に接続され、端子台から受信機側に作動信号が出力される。
また、制御弁１０７が開閉したことを示す開閉信号を取り出す場合には、ハンドル１０７Ａの近傍に図示しない開閉検出センサと開閉検出センサを収納した別の図示しない端子台を設けて、端子台から受信機側に開閉信号を出力することになる。
【０００８】
【発明が解決しようとする課題】
しかしながら、このような従来の流水検知装置にあっては、流水検知装置の作動を示す作動信号を出力するために、端子台を設け、また、制御弁の開閉信号を取り出す場合には、別の端子台が必要となるため、端子台が二個必要となり、結線本数も多くなる。このため、結線作業が複雑になり、装置も大型化する。また、共同住宅の防災設備にあっては、火災報知装置の仕様により結線方法が変わり、結線ミスが起きたり、工事に時間がかかるという問題もあった。
【０００９】
本発明は、このような従来の問題点に鑑みてなされたものであって、スイッチボックスが一つですみ、結線本数が少なくて結線作業が容易となり、また、コンパクトで結線ミスがなくなり、工事に時間がかからない流水検知装置を提供することを目的とする。
【００１０】
【課題を解決するための手段】
この目的を達成するために、本発明は次のように構成する。
まず、本発明は、弁本体の一次側に制御弁を介して給水配管が接続されるとともに二次側に散水部を接続した給水配管が接続され、散水部の散水により給水配管内の流水を検知して作動信号を受信機側に出力する流水検知装置を対象とする。
【００１１】
このような本発明の流水検知装置について本発明は、弁本体の一次側に制御弁を一体に取付け、弁本体内の流水を検出して作動信号を出力する作動検出センサと、制御弁の開閉を検出して開閉信号を出力する開閉検出センサと、外部信号線が接続され、作動信号及び開閉検出信号の状態を外部に出力するスイッチボックスとを備え、スイッチボックスに、作動検出センサ及び開閉検出センサのオン、オフ状態を外部信号線を介して受信機側に出力する端子台と、受信機側から見て作動検出センサ及び開閉検出センサを直列かまたは並列に接続するかを切り替える第１のスイッチと、を設けたことを特徴と。
【００１２】
第1のスイッチにより作動検出センサと開閉検出センサを直列にしたとき、開閉検出センサに対して第１の内部終端抵抗を直列に接続する。第１のスイッチにより作動検出センサと開閉検出センサを直列にしたとき、開閉検出センサに対して第１の外部終端抵抗が直列に接続される。
【００１３】
第１のスイッチにより作動検出センサと開閉検出センサを並列に接続したとき、開閉検出センサに対して第２の外部終端抵抗を直列に接続される。第１のスイッチにより作動検出センサと開閉検出センサを並列に接続したとき、開閉検出センサに対して第２の外部終端抵抗を直列に接続される。
第１のスイッチにより作動検出センサと開閉検出センサを直列に接続したときに、第１の内部終端抵抗または第１の外部終端抵抗を選択する第２のスイッチを設ける。また、第１のスイッチにより作動検出センサと開閉検出センサを並列に接続したとき、第２の内部終端抵抗または第２の外部終端抵抗を選択する第３のスイッチを設ける。
【００１４】
更に、プリント基板には、作動検出センサ及び開閉検出センサが接続される複数のコネクタが設けられる。
このような構成を備えた本発明の流水検知装置によれば、一つのスイッチボックス内に作動信号を出力する作動検出センサと、制御弁の開閉信号を出力する開閉検出センサを収納し、また、同スイッチボックス内に、作動検出センサおよび開閉検出センサが接続される複数のコネクタと、コネクタと接続されるとともに受信機側に接続される端子台と作動検出センサおよび開閉検出センサを直列または並列に切り替える第１のスイッチを有するプリント基板を設けたので、一つのスイッチボックスで済み、結線本数を少なくすることができ、また、現場の結線方法の種類が変わっても容易に対応することができ、結線ミスもなくなり、工事が簡単になる。さらに、装置全体がコンパクトになる。
【００１５】
またプリント基板に実装している内部終端抵抗の固定的な抵抗値とは異なる抵抗値の終端抵抗を必要とする場合には、第２、第３のスイッチにより、端子台に接続される外部終端抵抗を選択することで、受信機側の必要に応じて任意の抵抗値をもつ終端抵抗を使用することができる。
【００１６】
【発明の実施の形態】
図１は本発明の流水検知装置が設けられる共同住宅防災設備を示す図である。図１において、１は共同住宅の地下に設けられた揚水ポンプであり、揚水モータ２により駆動され、揚水モータ２の起動停止はポンプ制御盤３により行われる。ポンプ制御盤３には、停電時にも電源を供給することができる非常電源４が接続されている。
【００１７】
揚水ポンプ１の吸込管５は貯水槽６に降ろされ、ポンプ起動により貯水槽６から汲み上げた消火用水を加圧して共同住宅の垂直方向に立ち上げた給水本管７に逆止弁８、仕切弁９を介して水を供給している。吸込管５には連成計１０が接続され、給水本管７には圧力計１１が接続されている。
揚水ポンプ１の近傍の所定高さとなる位置には呼水槽１２が設置され、オリフィス１３を介して呼水を呼水槽１２に供給するとともに、逆止弁１４を介して揚水ポンプ１の吐出側に呼水を供給して揚水ポンプ１内に常時水を充満させ、いつでもポンプ運転が行えるようにしている。
【００１８】
１５はボールタップであり、ボールタップ１５により呼水槽１２のレベルを常に一定に保つ。また、呼水槽１２には水位センサ１６が設けられ、水位センサ１６の検出信号がポンプ制御盤３に与えられる。また、呼水槽１２の一定レベル以上の呼水は、排水配管１７により貯水槽６に排水される。
また、共同住宅の屋上には高架水槽１８が設置され、給水本管７から消火用水が供給される。高架水槽１８には仕切弁１９、逆止弁２０を介して消火ポンプ２１が接続され、消火ポンプ２１は消火モータ２２により駆動され、消火モータ２２の起動停止はポンプ制御盤２３により行われる。ポンプ制御盤２３には非常電源２４が接続されている。
【００１９】
消火ポンプ２１は、ポンプ起動により高架水槽１８内の消火用水を逆止弁２５、仕切弁２６を介して給水本管２７に加圧して供給する。給水本管２７から分岐して排水配管２８に接続される分岐管２９の途中には仕切弁３０，３１とオリフィス３２よりなるポンプ性能試験装置が設けられている。排水配管２８は高架水槽１８にも接続されている。
【００２０】
給水本管２７より分岐する分岐管３３には圧力空気槽３４が接続され、圧力空気槽３４に給水本管２７の圧力を導入し、内部の空気を圧縮する。この圧縮空気は圧力センサ３５により検出され、検出信号はポンプ制御盤２３に与えられる。また、圧力空気槽３４には圧力計３６が接続され、下端には排水配管２８が接続されている。
【００２１】
給水本管２７より分岐する給水配管３７の途中には、共同住宅のＭ階およびＮ階に示すように、制御弁３８と作動弁本体３９とスイッチボックス４０よりなる流水検知装置４１が設けられている。制御弁３８の一次側の給水配管３７には圧力計４２が接続され、作動弁本体３９の二次側の給水配管３７には閉鎖型のスプリンクラーヘッド４３が接続されている。
【００２２】
排水配管２８には排水本管４４が接続され、この排水本管４４と作動弁本体３９に接続される排水配管４５には三方切替弁４６と圧力計４７を接続した試験弁４８とオリフィス４９がそれぞれ接続されている。Ｎ階の三方切替弁４６は作動弁本体３９と二次側の給水配管３７の端末と試験弁４８にそれぞれ接続され、試験弁４８の操作により流水検知装置４１を含めた消火設備の総合的試験を行う。Ｍ階の三方切替弁４６は作動弁本体３９と試験弁４８にそれぞれ接続され、試験弁４８の操作により主として流水検知装置４１の作動試験を行う。
【００２３】
スイッチボックス４０内には、作動弁本体３９が作動したことを検出して作動信号を出力する作動検出センサとしてのリミットスイッチよりなる作動検出センサ５０と、制御弁３８が開閉したことを検出して開閉信号を出力する開閉検出センサとしてのリミットスイッチよりなる開閉検出センサ５１が収納されている。スイッチボックス４０は中継器５２に接続され、中継器５２は信号線５３を介して受信機５４に接続されている。
【００２４】
住戸内部５５には住戸内スピーカ５６と住宅情報盤５７が設けられ、戸外には戸外表示機５８が設けられている。住戸内スピーカ５６は信号線５９を介し受信機５４に接続され、戸外表示機５８は住宅情報盤５７に接続され、住宅情報盤５７は中継器５２に接続されるとともに信号線５３を介して受信機５４に接続される。
【００２５】
共用住宅の共用部６０には、住戸外スピーカ５６、煙感知器６１、熱感知器６２がそれぞれ設けられ、住戸外スピーカ５６は信号線５９を介して受信機５４に接続され、煙感知器６１およ熱感知器６２は信号線５３を介して受信機５４に接続されている。
また、Ｌ階の住戸内部５５には住戸内スピーカ５６、煙感知器６１、熱感知器６２および住宅情報盤５７がそれぞれ設けられ、戸外には戸外表示機５８と戸外点検器６３が設けられている。住戸内スピーカ５６は信号線５９を介して受信機５４に接続され、煙感知器６１、熱感知器６２は中継器５２を介して受信機５４に接続されている。
【００２６】
戸外表示機５８は住宅情報盤５７に接続され、住宅情報盤５７は中継器５２に接続されるとともに、信号線５３を介して受信機５４に接続されている。また、共用部６０には住戸外スピーカ５６、煙感知器６１および熱感知器６２がそれぞれ設けられ、住戸外スピーカ５６は信号線５９を介して受信機５４に接続され、煙感知器６１と熱感知器６２は信号線５３を介して受信機５４に接続されている。
【００２７】
図２は流水検知装置４１の正面図、図３は流水検知装置４１の側面図である。図２および図３において、３９は流水検知装置４１の作動弁本体であり、作動弁本体３９の下側には制御弁本体３８Ａが一体に固定されている。作動弁本体３９の上側には給水配管３７が接続される接続口３９Ａが開口し、作動弁本体３９の一方の側面には三方切替弁４６が接続される接続口３９Ｂが開口し、更に作動弁本体３９の他方の側面にはスイッチボックス４０が固定されている。
【００２８】
給水配管３７には二次側の圧力を計測する圧力計６４が接続されており、制御弁本体３８Ａには制御弁３８を開閉し、９０度回動操作できるレバー６５が取り付けられている。レバー６５には２つの位置決め片６７，６８が設けられ、一方の位置決め片６７が制御弁本体３８Ａに固定した位置決め部６９に当接するようにレバー６５を時計回り方向に９０度回転操作して水平位置にすると、図示しない回転軸が回転し連動して図示しないボール弁が回転することで流路が閉じる。
【００２９】
一方、他方の位置決め片６８を制御弁本体３８Ａの位置決め部６９に当接するようにレバー６５を前記水平位置から反時計回り方向に９０度回転操作して垂直位置にすると、回転軸も反時計回り方向に回転し連動してボール弁が回転することで流路が開く。レバー６５が垂直位置にあるとき、レバー６５の押圧部７０がスイッチボックス４０に設けた開閉検出センサ５１のスイッチ軸５１Ａを押し込む。
【００３０】
これにより開閉検出センサ５１がオンになり、制御弁３８が開弁したことを示す開信号が出力される。また、レバー６５を水平位置に操作し、制御弁３８を閉弁すると押圧部７０はスイッチ軸５１Ａを押し込む位置から外れるため開閉検出センサ５１はオフし、制御弁４８が閉弁したことを示す閉信号が出力される。
接続口３９Ｂには分岐管７１を介して三方切替弁４６の第１の接続口４６Ａが接続され、三方切替弁４６の第２の接続口４６Ｂはスプリンクラーヘッド４３を接続した給水配管３７の端末が接続されるかまたは何も接続されない。三方切替弁４６の第３の接続口４６Ｃには排水配管４５が接続され、排水配管４５には試験弁４８が接続され、また、試験弁４８には圧力計４７が接続されている。
【００３１】
給水配管３９の端末に三方切替弁４６の第２の接続口４６Ｂが接続されているときは、図２に示すように三方切替弁４６のレバー４６Ｄを水平方向に操作したときに、第２の接続口４６Ｂと第３の接続口４６Ｃが連通し、試験弁４８を操作することで流水検知装置４１を含めた消火設備の総合試験を行うことができる。また、三方切替弁４６のレバー４６Ｄを垂直方向に操作したときは、第１の接続口４６Ａと第３の接続口４６Ｃが連通し、試験弁４８を操作することで主として流水検知装置４１の試験を行うことができる。
【００３２】
図４（Ａ），（Ｂ）はスイッチボックス４０の内部構成例を示す図である。
図４（Ａ），（Ｂ）において、４０はスイッチボックスであり、スイッチボックス４０内には支持板７２が設けられ、支持板７２には電話ジャック７３とプリント基板７４が取り付けられている。
また、スイッチボックス４０内には、制御弁３８が開閉したことを検出して開閉信号を出力する開閉検出センサ５１が設けられている。開閉検出センサ５１は、スイッチ軸５１Ａと、スイッチ軸５１Ａをスイッチボックス４０から外側に突出するように付勢する図示しないリターンスプリングと、スイッチ軸５１Ａを収納する収納部５１Ｂと、スイッチ軸５１Ａが押し込まれると制御弁３８が開いたことを示す開信号を出力するスイッチ本体５１Ｃと、スイッチ本体５１Ｃを支持する支持台５１Ｄを有する。第２のスイッチ５１から引き出された信号線７５は、プリント基板７４に設けられたコネクタ７６に接続される。
【００３３】
また、スイッチボックス４０内には流水検知装置４１が作動したことを検出して作動信号を出力する作動検出センサ５０が設けられている。作動検出センサ５０は、図５に示すように、図示しない作動レバーによって揺動するスイッチレバー５０Ａと、スイッチレバー５０Ａを一方向に付勢するスプリング５０Ｂと、スイッチレバー５０Ａに取り付けられたスイッチノブ５０Ｃと、スイッチノブ５０Ｃにより接点を閉じるスイッチ本体５０Ｄとを有している。スイッチ本体５０Ｄからは信号線７７が引き出され、プリント基板７４に設けたコネクタ７６に接続されている。
【００３４】
図４（Ｂ）に示すように、スイッチレバー５０Ａの一端は図示しないエアダンパのピストン軸７８に固定され、図５に示すように、スイッチレバー５０Ａの他端はスイッチ本体５０Ｄに取付部５０Ｅを介して取り付けられている。作動弁の作動で作動する作動レバー７９が作動しないときは、作動レバー７９の調整部材８０はスイッチレバー５０Ａの下面に当接し、スイッチレバー５０Ａを上側に押し上げている。
【００３５】
作動レバー７９が作動すると、調整部材８０のスイッチレバー５０Ａの下面への当接が解除され、スイッチレバー５０Ａはスプリング５０Ｂの力とピストン軸７８を有する図示しないピストンの自重により下側に下がり、スイッチノブ５０Ｃが押し出されてスイッチ本体５０Ｄの接点が閉じ、作動検出センサ５０より作動信号が出力される。
【００３６】
プリント基板７４上には作動検出センサ５０および開閉検出センサ５１が信号線７７，７５を介して接続される複数のコネクタ７６が取り付けられている。また、プリント基板７４上には端子台８７が取り付けられ、端子台８７とコネクタ７６は後述する所定の配線パターンによって接続されている。端子台８７は中継器５２を介して受信機５４に接続されている。また、支持板７２に取り付けられた電話ジャック７３は信号線８２を介してコネクタ７６に接続されている。
【００３７】
図６は図４に示した本発明の流水検知装置のスイッチボックス４０に収納されたプリント基板７４の斜視図である。
図６において、プリント基板７４上の一端にはコネクタ７６Ａ〜７６Ｅが取り付けられる。このうちコネクタ７６Ａ，７６Ｂ，７６Ｃに、スイッチボックス４０内に設けている作動検出センサ５０及び２つの開閉検出センサ５１Ａ，５１Ｂが接続されている。なお、コネクタ７６Ｄ，７６Ｅは空きコネクタである。
【００３８】
プリント基板７４上の他方には端子台８７が取り付けられる。端子台８７の側面には信号線の芯線を挿入接続する端子構造を備えた複数の端子が設けられている。このうち端子８７Ａ，８７Ｂが受信機側からの信号線接続に使用され、端子８７Ｃ，８７Ｄと８７Ｅ，８７Ｆの二組が外部終端抵抗の接続に使用される。なお、この実施形態にあっては、残りの端子は空き端子となっている。
【００３９】
端子台８７とコネクタ７６Ａ〜７６Ｅの間には３回路のディップスイッチ８３が設けられ、スイッチ上に３つのスイッチノブ８４Ａ〜８４Ｃが設けられている。またディップスイッチ８３の両側には、第１の内部終端抵抗９２Ａと第２の内部終端抵抗９２Ｂが実装されている。図７は図６のプリント基板７４の回路図であり、中継器５２及び受信機５４側と共に示している。
【００４０】
図７において、スイッチボックス４０内にはプリント基板７４、流水検知装置の作動検出センサ５０、制御弁の開閉検出センサ５１Ａ，５１Ｂが収納されている。作動検出センサ５０は、プリント基板７４のコネクタ７６Ａに端子８６Ａ，８６Ｂによりコネクタ接続される。開閉検出センサ５１Ａ，５１Ｂは、プリント基板７４のコネクタ７６Ｂ，７６Ｃのそれぞれに、端子８６Ｃ，８６Ｄ及び端子８６Ｅ，８６Ｆのそれぞれにより同じくコネクタ接続される。またプリント基板７４に設けた端子台８７については、端子８７Ａ，８７Ｂに信号線８８Ａ，８８Ｂによって各住戸に設けている中継器５２を接続している。この中継器５２には受信回路５２Ｃが設けられている。更に中継器５２は住戸内の住宅総合盤５７に接続され、その移報出力が管理人室などに設置された住棟受信機５４に接続されている。
【００４１】
端子台８７のうち残りの４つの端子は外部終端抵抗の接続に使用される。即ち、端子８７Ｃ，８７Ｄに対しては、必要に応じて破線のように第１の外部終端抵抗８５Ａを接続することができる。また端子８７Ｅ，８７Ｆに対しても、第２の外部終端抵抗８５Ｂを接続することができる。
端子台８７とコネクタ７６Ａ〜７６Ｃ側との間には所定の回線パターン８９が形成されている。まず中継器５２を接続している端子台８７の端子８７Ａ，８７Ｂからは信号線８９Ａ，８９Ｂが引き出され、作動検出センサ５０を接続しているコネクタ７６Ａの端子８６Ａ，８６Ｂに接続される。
【００４２】
開閉検出センサ５１Ａを接続しているコネクタ７６Ｂの端子８６Ｃ，８６Ｄについては、端子８６Ｃに対してコネクタ７６Ａの端子８６Ｂに対する信号線８９Ｂを分岐接続している。また端子８６Ｄについては、信号線８９Ａから分岐した信号線８９Ｉが第２の内部終端抵抗９２Ｂ及び第２のスイッチ９０Ｃを介して接続される。
【００４３】
更に、開閉検出センサ５１Ｂを接続したコネクタ７６Ｃの端子８６Ｅ，８６Ｆについては、中継器５２側からの信号線を接続している端子台８７の端子８７Ａ，８７Ｂからの信号線８９Ａ，８９Ｂに対し、端子８６Ｅを信号線８９Ｆにより第１のスイッチ９０Ａの中継器５２側に接続し、また端子８６Ｆを信号線８９Ｇによって信号線８９Ｂに挿入している第１のスイッチ９０Ａのコネクタ８７Ａ側に接続している。
【００４４】
また、端子台８７の中継器５２からの信号線を接続した端子８７Ａからの信号線８９Ａから８９Ｂ側にバイパスする信号線８７Ｋを設け、ここに第２のスイッチ９０Ｂと第１の内部終端抵抗９２Ａを直列接続している。
第１の外部終端抵抗８５Ａを接続する端子台８７の端子８７Ｃ，８７Ｄについては、端子８７Ｃを信号線８９Ｈによって中継器５２側からの一方の信号線を接続した端子８７Ａからの信号線８９Ａに接続し、端子８７Ｄ側は信号線８７Ｊによって信号線８９Ａより分岐した第２のスイッチ９０Ｂと第１の内部終端抵抗９２Ａを直列接続した信号線に接続している。
【００４５】
更に、端子台８７の第２の外部終端抵抗８５Ｂを接続する端子８７Ｅ，８７Ｆについては、端子８７Ｅは第２の内部終端抵抗９２Ｂに対する信号線８９Ｉの部分に接続し、端子８７Ｆについては開閉検出センサ５１Ａを接続しているコネクタ７６Ｂの端子８６Ｄからの信号線８９Ｄに接続している。ここで、プリント基板７４に設けている第１〜第２のスイッチ９０Ａ〜９０Ｂによる切替え機能は次のようになる。
【００４６】
まず第１のスイッチ９０Ａは、中継器５２側からの信号線８８Ａ，８８Ｂに対し作動検出センサ５０と開閉検出センサ５１Ａ，５１Ｂの直列接続と並列接続を選択する。即ち、第１のスイッチ９０Ａをオフすると、中継器５２からの信号線８８Ａ，８８Ｂに対し作動検出センサ５０と一方の開閉検出センサ５１Ｂを直列接続する。この切替え状態を以下、直列モードと呼ぶ。これに対し、第１のスイッチ９０Ａをオンすると、中継器５２からの信号線８８Ａ，８８Ｂに対し作動検出センサ５０と他方の開閉検出センサ５１Ｂを並列接続する。以下、この切替え状態を並列モードと呼ぶ。
【００４７】
第２のスイッチ９０Ｂは、第１のスイッチ９０Ａをオフした直列モードでオンすることにより、第１の内部終端抵抗９２Ａを作動検出センサ５０に並列接続する。もちろん、このとき第３のスイッチ９０Ｃはオフとなっている。また第１のスイッチ９０Ａをオフした直列モードにおいて、第２のスイッチ９０Ｂをオフすると、端子台８７の端子８７Ｃ，８７Ｄに外部接続している第１の外部終端抵抗８５Ａを第１の内部終端抵抗９２Ａの代わりに作動検出センサ５０に並列接続することができる。
【００４８】
一方、第１のスイッチ９０Ａをオンした並列モードにあっては、第２のスイッチ９０Ｂはオフした状態で第３のスイッチ９０Ｃをオンすると、作動検出センサ５０に並列接続されている開閉検出センサ５１Ａと直列に第２の内部終端抵抗９２Ｂを接続することができる。これに対し、第３のスイッチ９０Ｃをオフした場合には、端子台８７の端子８７Ｅ，８７Ｆに接続している第２の外部終端抵抗８５Ｂを内部終端抵抗９２Ｂの代わりに開閉検出センサ５１Ｂに直列接続することができる。
【００４９】
次に、図７のプリント基板７４の回路を使用した中継器５２側に対する作動検出センサ５０、開閉検出センサ５１Ａ，５１Ｂ、及びそれぞれの終端抵抗の選択接続の切替えを説明する。
図８は本発明が適用される共同住宅防災設備の一般的な接続形態であり、流水検知装置４１の作動検出センサ５０と制御弁３８の開閉検出センサ５１を中継器５２からの信号線に対し直列接続した直列モードを例にとっている。即ち、各住戸ごとに設けている中継器５２から引き出された信号線に対し、感知器６１，６２を介して流水検知装置の作動検出センサ５０と制御弁３８の開閉検出センサ５１が直列接続されている。また流水検知装置４１の作動検出センサ５０と並列に終端抵抗１２０を接続している。
【００５０】
この直列モードの接続形態をとる共同住宅防災設備の動作は、次のようになる。
まず定常監視状態にあっては、非作動状態にある流水検知装置４１の作動検出センサ５０がオフであり、また制御弁３８が正常に開かれていると開閉検出センサ５１はオンとなっており、終端抵抗１２０に微弱な電流が流れる。このため中継器５２に設けている受信回路は、終端抵抗１２０で決まる微弱な電流を受信し、制御弁３８が正常に開いていることを判断し、異常表示は行わない。
【００５１】
これに対し、もし制御弁３８が閉じていたとすると、開閉検出センサ５１がオフとなっており、終端抵抗１２０で決まる微弱な電流が流れないことから、中継器５２の受信回路は住宅情報盤５７に異常表示を行う。また断線が起きた場合にも、終端抵抗１２０で決まる微弱な電流が流れないことから、中継器５２の受信回路は異常表示を行う。
【００５２】
なお、中継器５２に設けている受信回路による線路電流の監視は、例えば電流検出抵抗により線路電流を電圧信号に変換して判断している。
火災時にはスプリンクラーヘッドが作動して流水検知装置４１の二次側が開放されることで動作し、作動検出センサ５０がオンになる。この作動検出センサ５０のオンで終端抵抗１２０がバイパスされて線路間を低インピーダンスに短絡し、中継器５２に流れる線路電流が増加する。この線路電流の増加を中継器５２の受信回路で検出し、住宅情報盤５７に作動表示や火災表示などを行う。更に住宅情報盤５７から管理人室などに設置している住棟受信機５４に対し火災信号を異報出力する。
【００５３】
図９は、図８に示す一般的な直列モードを図７に示した本発明のプリント基板７４で実現した場合の等化回路であり、内部終端抵抗を選択した状態である。具体的には、図１０に示すスイッチ切替えを行う。図１０において、直列モードは第１のスイッチ９０Ａをオフすることで実現できる。
第１のスイッチ９０Ａをオフすると、中継器５２からの信号線に対し太線で示すように作動検出センサ５０と開閉検出センサ５１Ｂを直列接続することができる。また終端抵抗については、第２のスイッチ９０Ｂを図示のようにオンすることで、流水検知装置４１と並列に第１の内部終端抵抗９２Ａを接続することができる。なお並列モードでの終端抵抗の選択に使用する第３のスイッチ９０Ｃは、オンであってもオフであっても関係ない。
【００５４】
図１１は直列モードにおいて外部終端抵抗を選択した場合の等化回路であり、図１２に示すプリント基板７４の切替え状態で実現できる。即ち、第１のスイッチ９０Ａをオフして作動検出センサ５０と開閉検出センサ５０Ｂを直列接続した直列モードの選択状態で外部のスイッチ９０Ｂをオフすると、第１の内部終端抵抗９２Ａが切り離され、端子台の端子８７Ｃ，８７Ｄに外部接続している第１の外部終端抵抗８５Ａを作動検出センサ５０に並列接続することができる。
【００５５】
このような外部終端抵抗の選択は、プリント基板７４に予め実装している内部終端抵抗の抵抗値には適合しない中継器５２の受信回路５２Ｃの使用が要求された場合、使用の変更に伴う適宜の抵抗値をもつ終端抵抗を外部接続することで簡単に対応できるようにしている。
図１３は本発明が適用される共同住宅防災設備における一般的な並列モードの接続構成であり、中継器５２から引き出され感知器６１，６２を介した信号線に対し、流水検知装置４１の作動検知センサ５０と制御弁３８の開閉検出センサ５１を並列接続する並列モードとしている。また終端抵抗１２０は制御弁３８の開閉検出センサ５１に直列接続されている。
【００５６】
この並列モードの接続構成をとった共同住宅防災設備における監視動作は、次のようになる。まず定常監視状態にあっては、非作動状態にある流水検知装置４１の作動検出センサ５０はオフであり、また制御弁３８が正常に開かれることで開閉検出センサ５１がオンとなっており、終端抵抗１２０に微弱な電流が流れ、中継器５２の受信回路は制御弁３８が正常に開いていることを判断し、異常表示は行わない。
【００５７】
これに対し、もし制御弁が閉じていたとすると開閉検出センサ５１がオフとなり、終端抵抗１２０で決まる微弱な電流が流れないことから異常表示を行う。もちろん、断線が起きた場合も同様である。
火災時には、スプリンクラーヘッドの作動に伴って流水検知装置４１が作動し、作動検出センサ５０がオンになる。このため、線路間が低インピーダンスに短絡されて線路電流が増加し、中継器５２の受信回路が動作して作動表示や火災表示などを住宅情報盤５７で行い、更に管理人室との住棟受信機５４に対し移報出力を行う。
【００５８】
ここで図８の直列モードと図１３の並列モードの相違は、図８の直列モードにあっては制御弁３８が正常であることを条件に流水検知装置４１の作動で作動表示や火災表示を行うようにしているが、図１３の並列モードにあっては、制御弁３８の開閉の如何にかかわらず、流水検知装置４１が作動すると作動表示や火災表示などを行うことになる。このような直列モードとするか並列モードとするかは、必要に応じて適宜に選択される。
【００５９】
図１４は、図１３に示した並列モードの設備構成について図７に示した本発明のプリント基板７４による接続構成の等化回路であり、内部終端抵抗を選択した場合である。この図１４の等化回路は、図１５のプリント基板７４の接続状態で実現できる。まず、第１のスイッチ９０Ａを図示のようにオンすることで並列モードを選択する。
【００６０】
即ち、第１のスイッチ９０Ａをオンすると中継器５２からの信号線８８Ａ，８８Ｂに対し、太線で示すように、作動検出センサ５０と開閉検出センサ５１Ａが並列接続される。このとき第３のスイッチ９０Ｃをオンしておくことで、開閉検出センサ５１Ａと直列に第２の内部終端抵抗９２Ｂが接続される。また第２のスイッチ９０Ｂについては、図示のようにオフしておかなければならない。
図１６は並列モードにおいて外部終端抵抗８５Ｂを選択した場合であり、図１７のプリント基板７４の切替え状態で実現できる。即ち、第１のスイッチ９０Ａをオンして並列モードを選択した状態で第３のスイッチ９０Ｃを図示のようにオフすると、太線で示すように、端子台の端子８７Ｅ，８７Ｆに外部接続している第２の外部終端抵抗８５Ｂを開閉検出センサ５１Ａの端子８６Ｄ側の信号線に挿入接続することができる。
【００６１】
尚、上記の実施形態は、流水検出装置４１に作動検出センサ５０を１つ設けた場合を例にとっているが、作動検出センサ５０を２つ設け、一方の作動検出センサの住戸の中継器に接続し、他方の作動検出センサを住棟受信機に直接接続する場合もある。この場合には、住棟受信機用の作動検出センサの追加に応じ、その接続コネクタ、パターン、住棟受信機接続用端子を準備すればよい。
【００６２】
【発明の効果】
以上説明してきたように本発明によれば、流水検知装置に設けている作動検出センサ及び制御弁の開閉検出センサに対する中継器側からの信号線接続を、プリント基板に対するコネクタ及び端子接続で簡単に実現することができる。また、中継器側からの信号線に対する作動検出センサと開閉検出センサの接続形態を例えば直列モードと並列モードというように、プリント基板上におけるスイッチ切替えで簡単に変更することができる。
【００６３】
更に、プリント基板に実装されている内部終端抵抗を選択するか、端子に対し選択的に外部接続可能な外部終端抵抗を選択するかの接続もスイッチ切替えにより簡単にでき、中継器側の受信回路に対し内部終端抵抗が適合しなくなった場合には、簡単に外部終端抵抗の接続に切り替えて対応することができる。
更に、流水検知装置のスイッチボックスに対するセンサ側の接続が現場では不要となり、中継器側からの接続がコネクタ及び端子接続で済むことから、現場での作業が極めて簡単となり、作業工数を大幅に低減できる。
【００６４】
また、プリント基板上にコネクタ、端子台、終端抵抗などが集約されていることから、電気系統がコンパクトになり、装置全体を小型化することもできる。
【図面の簡単な説明】
【図１】本発明の流水検知装置を備えた共用住宅用防災設備を示す図
【図２】流水検知装置の正面図
【図３】流水検知装置の側面図
【図４】スイッチボックスの内部構成図
【図５】作動検出センサを示す図
【図６】本発明の流水検知装置で使用するプリント基板の斜視図
【図７】図の６のプリント基板の回路図
【図８】一般の防災監視設備の直列モードによる接続構成の説明図
【図９】図８の直列モードの接続を内部終端抵抗を選択して図７のプリント基板で実現した場合の等化回路図
【図１０】図１０の等化回路を実現するプリント基板の切替状態の説明図
【図１１】図８の直列モードの接続を外部終端抵抗を選択して図７のプリント基板で実現した場合の等化回路図
【図１２】図１１の等化回路を実現するプリント基板の切替状態の説明図
【図１３】一般の防災監視設備の並列モードによる接続構成の説明図
【図１４】図１３の並列モードの接続を内部終端抵抗を選択して図７のプリント基板で実現した場合の等化回路図
【図１５】図１３の等化回路を実現するプリント基板の切替状態の説明図
【図１６】図８の直列モードの接続を外部終端抵抗を選択して図７のプリント基板で実現した場合の等化回路図
【図１７】図１６の等化回路を実現するプリント基板の切替状態の説明図
【図１８】従来の流水検知装置の正面図
【図１９】従来の流水検知装置の正面図
【符号の説明】
３７：給水配管
３８：制御弁
３９：作動弁本体
４０：スイッチボックス
４１：流水検知装置
４３：スプリンクラーヘッド（散水部）
５０：作動検出センサ
５１：開閉検出センサ
５４：受信機
７４：プリント基板
７６：コネクタ
８７：端子台
８４Ａ〜８４Ｃ：第１〜第３の設定スイッチノブ
８５Ａ，８５Ｂ：第１，第２の外部終端抵抗
９０Ａ〜９０Ｃ：第１〜第３の接点
９２Ａ，９２Ｂ：第１，第２の内部終端抵抗
【図１】
0003650203.tif 000002
【図２】
0003650203.tif 000003
【図３】
0003650203.tif 000004
【図４】
0003650203.tif 000005
【図５】
0003650203.tif 000006
【図６】
0003650203.tif 000007
【図７】
0003650203.tif 000008
【図８】
0003650203.tif 000009
【図９】
0003650203.tif 000010
【図１０】
0003650203.tif 000011
【図１１】
0003650203.tif 000012
【図１２】
0003650203.tif 000013
【図１３】
0003650203.tif 000014
【図１４】
0003650203.tif 000015
【図１５】
0003650203.tif 000016
【図１６】
0003650203.tif 000017
【図１７】
0003650203.tif 000018
【図１８】
0003650203.tif 000019
【図１９】
0003650203.tif 000020